(57)【要約】【課題】  簡単な構造で引き出しの閉じ込みを防止できるキャッシュドロアを提供する。【解決手段】  本発明は、引き出し２０とこれを収納する本体ケース１０とを有するキャッシュドロアであって前記引き出しにはコインを収容するためのコインケース３０が着脱自在に配置されるキャッシュドロアに適用され、前記コインケースが前記引き出しに誤った向きで配置された時に前記引き出しの前記本体ケースへの収納を阻止する閉じ込み防止手段を備えた。【選択図】      図２
2008146282.tif 000002
【特許請求の範囲】
【請求項１】
引き出しとこれを収納する本体ケースとを有するキャッシュドロアであって前記引き出しにはコインを収容するためのコインケースが着脱自在に配置されるキャッシュドロアにおいて、
前記引き出しの前記本体ケース内での閉じ込みを防止する閉じ込み防止手段を備えたことを特徴とするキャッシュドロア。
【請求項２】
前記閉じ込み防止手段は、前記コインケースが前記引き出しに誤った向きで配置された時に前記引き出しの前記本体ケースへの収納を阻止するものであることを特徴とする請求項１に記載のキャッシュドロア。
【請求項３】
前記引き出しはその手前側に前記コインケースを受け入れるコインケース収容エリアを有し、該コインケース収容エリアには前記コインケースの一部を載せて支持することのできる支持部が設けられ、前記コインケースの一部、前記支持部の一方には穴あるいは切り欠きを、他方には前記穴あるいは切り欠きに嵌合可能な突起をそれぞれ設け、前記穴あるいは切り欠きと前記突起の設置位置を、前記コインケースを前記コインケース収容エリアに正しく配置した場合は前記穴あるいは切り欠きと前記突起とが互いに嵌まり合い、前記コインケースを誤った向きで配置した場合は前記突起により該コインケースが浮き上がってその一部が前記本体ケースに当たる状態となるように設定することで、前記閉じ込み防止手段として作用するようにしたことを特徴とする請求項２に記載のキャッシュドロア。
【請求項４】
前記コインケースの一部は、該コインケースの前後、左右両側のうち少なくとも左右両側の上端にそれぞれ設けられたフランジで構成され、前記支持部は、前記コインケース収容エリアを形成している前壁、左右両側の側壁のうち少なくとも左右両側の側壁で構成され、前記フランジ、前記側壁の上端の一方に前記穴あるいは切り欠きが、他方に前記穴あるいは切り欠きに嵌合可能な前記突起がそれぞれ設けられることを特徴とする請求項３に記載のキャッシュドロア。
【請求項５】
前記引き出しは前記コインケース収容エリアの奥側にマネー収容エリアを有し、前記コインケース収容エリアと前記マネー収容エリアは区画壁で区画されており、前記コインケースの一部は、該コインケースの前後、左右両側のうち少なくとも前後の上端にそれぞれ設けられたフランジで構成され、前記支持部は、前記コインケース収容エリアを形成している前壁、左右両側の側壁、前記区画壁のうち少なくとも前記前壁及び前記区画壁で構成され、前記フランジ、前記前壁及び前記区画壁の上端の一方に前記穴あるいは切り欠きが、他方に前記穴あるいは切り欠きに嵌合可能な前記突起がそれぞれ設けられることを特徴とする請求項３に記載のキャッシュドロア。
【請求項６】
前記コインケースは左右方向に並ぶポケットを有するとともに、１個以上のポケットを持つ複数の分割ケースで構成され、前記コインケースの一部は、前記分割ケースの前後、左右両側のうち少なくとも左右両側の上端にそれぞれ設けられたフランジで構成され、前記支持部は、前記コインケース収容エリアを形成している前壁、左右両側の側壁のうち少なくとも左右両側の側壁と、隣り合う前記分割ケースにおいて隣り合う２つのフランジを支持するために前記コインケース収容エリアに立設された支持板とで構成され、前記フランジ、前記側壁及び前記支持板の上端の一方に前記穴あるいは切り欠きが、他方に前記穴あるいは切り欠きに嵌合可能な前記突起がそれぞれ設けられることを特徴とする請求項３に記載のキャッシュドロア。
【請求項７】
前記引き出しは前記コインケース収容エリアの奥側にマネー収容エリアを有し、前記コインケース収容エリアと前記マネー収容エリアは区画壁で区画されており、前記コインケースは左右方向に並ぶポケットを有するとともに、１個以上のポケットを持つ複数の分割ケースで構成され、前記コインケースの一部は、前記分割ケースの前後、左右両側のうち少なくとも前後の上端に設けられたフランジで構成され、前記支持部は、前記コインケース収容エリアを形成している前壁、左右両側の側壁、前記区画壁のうち少なくとも前記前壁及び前記区画壁で構成され、前記フランジ、前記前壁及び前記区画壁の少なくとも一方の上端の一方に前記穴あるいは切り欠きが、他方に前記穴あるいは切り欠きに嵌合可能な前記突起がそれぞれ設けられることを特徴とする請求項３に記載のキャッシュドロア。
【請求項８】
請求項１〜７のいずれか１項に記載のキャッシュドロアを備えたキャッシュレジスタ。
【請求項９】
請求項１〜７のいずれか１項に記載のキャッシュドロアを備えたＰＯＳ装置。
【発明の詳細な説明】
【技術分野】
【０００１】
本発明は、引き出しの閉じ込み防止機構を備えたキャッシュドロアに関し、特にキャッシュレジスタやＰＯＳ（Ｐｏｉｎｔ  ｏｆ  Ｓａｌｅ）装置用のキャッシュドロアに適しそのコインケースがキャッシュドロア内に引っ掛かることによる引き出しの閉じ込みを回避することができるようにしたキャッシュドロアに関する。
【背景技術】
【０００２】
キャッシュドロア（以下、ドロアと略称する）は、キャッシュレジスタやＰＯＳ装置に組み込まれて運用されている。ドロアは、通常、引き出しの中がコインを入れるコインケースと紙幣や商品券等（以下、紙幣と総称する）を入れるマネーケースとに分けられている。コインケースは引き出しの手前側にあり、マネーケースは引き出しの奥部側にあるが、場合によってはコインケースの下側に紙幣を収容する場合もある。いずれにしても、コインケースは一円、十円、五十円、百円、五百円硬貨を個別に収容する複数のポケットを有し、通常、複数個のポケットが一体化されて引き出しから取り外し可能にされている（例えば特許文献１参照）。
【０００３】
ところで、スーパーマーケット等の量販店においては、ドロアの使用状況が苛酷であり、人為的に軽微な間違えも頻発する環境下にある。この軽微な間違えがもとで、運用ストップ等重大な販売機会損失を招く場合がある。
【０００４】
例えば、従来のドロアにおいては、引き出しから取り外したコインケースを再度引き出しにセットする際に使用者が誤った配置をした場合、コインケースがドロア内で何かに引っ掛かることによる引き出しの閉じ込みを生じる場合がある。以下に、この障害例について図面を参照して説明する。
【０００５】
図９は、引き出し内にコインケースが誤った配置でセットされた例、つまりコインケースが前後逆向きにセットされた例を示している。
【０００６】
図９において、ドロア１００は、本体ケース１１０の前端に設けられた開口１１０ａを通して引き出し１２０が出し入れ可能にされている。引き出し１２０は、手前側のコインケース収容エリア１２０ａと、奥部側のマネー収容エリア１２０ｂに区画されている。コインケース収容エリア１２０ａにはコインケース１３０が着脱可能にセットされる。コインケース１３０は、後述するように、横方向（左右方向）に並ぶ複数のポケット１３０ａから成る。ポケット１３０ａが例えば６個の場合、６個がすべて一体化されて成るものや、複数個、例えば３個のポケットを一体化したもの２組から成るもの等、その形態は様々である。また、ポケット１３０ａは、収容されている硬貨を取り出し易くするために、手前側（図９では誤って逆向きにセットされているので奥部側になっている）に傾斜１３１を設けるというような工夫がされている。
【０００７】
いずれにしても、コインケース１３０は、少なくとも前部上端と後部上端にそれぞれフランジ１３２、１３３を有している。一方、コインケース収容エリア１２０ａを形成している前壁１２２と、コインケース収容エリア１２０ａとマネー収容エリア１２０ｂとを区画している区画壁１２３の上端にはそれぞれ、フランジ１３２、１３３を載せることができるようにされている。
【０００８】
ここで、コインケース１３０を、誤ってその前後を逆にしてセットしたままで引き出し１２０を本体ケース１１０に入れてしまうことがある。そして、引き出し１２０を引き出そうとした時にコインケース収容エリア１２０ａ内でコインケース１３０の前端側（図９に示した状態では奥部側）が少し浮き上がってしまうことがある。すると、本体ケース１１０内の上部に設けられた天板１１１と区画壁１２３とでコインケース１３０の一部を噛んでしまい、引き出し１２０を引き出せなくなるという不具合、つまり引き出し１２０の閉じ込みを発生することがある。
【０００９】
引き出し１２０が一旦、閉じ込められた状態になると、その復旧のためには、ドロア１００を分解或いは破壊することが必要になり、運用上多大なる損害が生じていた。
【００１０】
【特許文献１】特開２００４−１１０２７９
【発明の開示】
【発明が解決しようとする課題】
【００１１】
上記の問題点に鑑み、本発明の課題は、簡単な構造で引き出しの閉じ込みを防止できるキャッシュドロアを提供することにある。
【課題を解決するための手段】
【００１２】
本発明によるキャッシュドロアは、引き出しとこれを収納する本体ケースとを有するキャッシュドロアであって前記引き出しにはコインを収容するためのコインケースが着脱自在に配置されるキャッシュドロアに適用され、前記引き出しの前記本体ケース内での閉じ込みを防止する閉じ込み防止手段を備えたことを特徴とする。なお、前記閉じ込み防止手段は、前記コインケースが前記引き出しに誤った向きで配置された時に前記引き出しの前記本体ケースへの収納を阻止するものである。
【００１３】
本発明によるキャッシュドロアにおいては、前記引き出しはその手前側に前記コインケースを受け入れるコインケース収容エリアを有し、該コインケース収容エリアには前記コインケースの一部を載せて支持することのできる支持部が設けられる。そして、前記コインケースの一部、前記支持部の一方には穴あるいは切り欠きを、他方には前記穴あるいは切り欠きに嵌合可能な突起をそれぞれ設け、前記穴あるいは切り欠きと前記突起の設置位置を、前記コインケースを前記コインケース収容エリアに正しく配置した場合は前記穴あるいは切り欠きと前記突起とが互いに嵌まり合い、前記コインケースを誤った向きで配置した場合は前記突起により該コインケースが浮き上がってその一部が前記本体ケースに当たる状態となるように設定することで、前記閉じ込み防止手段として作用するようにしたことを特徴とする。
【００１４】
本発明によるキャッシュドロアにおいては、前記コインケースの一部は、該コインケースの前後、左右両側のうち少なくとも左右両側の上端にそれぞれ設けられたフランジで構成され、前記支持部は、前記コインケース収容エリアを形成している前壁、左右両側の側壁のうち少なくとも左右両側の側壁で構成されても良い。そして、前記フランジ、前記側壁の上端の一方に前記穴あるいは切り欠きが、他方に前記穴あるいは切り欠きに嵌合可能な前記突起がそれぞれ設けられる。
【００１５】
本発明によるキャッシュドロアにおいては、前記引き出しは前記コインケース収容エリアの奥側にマネー収容エリアを有し、前記コインケース収容エリアと前記マネー収容エリアは区画壁で区画されており、前記コインケースの一部は、該コインケースの前後、左右両側のうち少なくとも前後の上端にそれぞれ設けられたフランジで構成され、前記支持部は、前記コインケース収容エリアを形成している前壁、左右両側の側壁、前記区画壁のうち少なくとも前記前壁及び前記区画壁で構成されても良い。そして、前記フランジ、前記前壁及び前記区画壁の上端の一方に前記穴あるいは切り欠きが、他方に前記穴あるいは切り欠きに嵌合可能な前記突起がそれぞれ設けられる。
【００１６】
本発明によるキャッシュドロアにおいては、前記コインケースは左右方向に並ぶポケットを有するとともに、１個以上のポケットを持つ複数の分割ケースで構成され、前記コインケースの一部は、前記分割ケースの前後、左右両側のうち少なくとも左右両側の上端にそれぞれ設けられたフランジで構成され、前記支持部は、前記コインケース収容エリアを形成している前壁、左右両側の側壁のうち少なくとも左右両側の側壁と、隣り合う前記分割ケースにおいて隣り合う２つのフランジを支持するために前記コインケース収容エリアに立設された支持板とで構成されても良い。そして、前記フランジ、前記側壁及び前記支持板の上端の一方に前記穴あるいは切り欠きが、他方に前記穴あるいは切り欠きに嵌合可能な前記突起がそれぞれ設けられる。
【００１７】
本発明によるキャッシュドロアにおいては、前記引き出しは前記コインケース収容エリアの奥側にマネー収容エリアを有し、前記コインケース収容エリアと前記マネー収容エリアは区画壁で区画されており、前記コインケースは左右方向に並ぶポケットを有するとともに、１個以上のポケットを持つ複数の分割ケースで構成され、前記コインケースの一部は、前記分割ケースの前後、左右両側のうち少なくとも前後の上端に設けられたフランジで構成され、前記支持部は、前記コインケース収容エリアを形成している前壁、左右両側の側壁、前記区画壁のうち少なくとも前記前壁及び前記区画壁で構成されても良い。そして、前記フランジ、前記前壁及び前記区画壁の少なくとも一方の上端の一方に前記穴あるいは切り欠きが、他方に前記穴あるいは切り欠きに嵌合可能な前記突起がそれぞれ設けられる。
【００１８】
本発明によれば、上記のいずれかのキャッシュドロアを備えたキャッシュレジスタあるいはＰＯＳ装置が提供される。
【発明の効果】
【００１９】
本発明によるキャッシュドロアは、コインケースが向きを誤ってセットされた時にはそれを使用者に容易に気付かせることができ、仮にそれに気付かずに引き出しを本体ケース内に収納しようとしても、簡単な構造で引き出し自体が収納できないようになっているので、従来の問題を必ず回避することができる。
【発明を実施するための最良の形態】
【００２０】
以下に、本発明の好ましい実施形態について説明する。
【００２１】
図１は、本発明によるキャッシュドロア（以下、ドロアと略称する）を斜視図で示し、引き出しを一部引き出した状態で示している。
【００２２】
図１において、ドロア１は、本体ケース１０と引き出し２０とから成る。引き出し２０は、本体ケース１０の前端に設けられた開口１０ａを通して出し入れ可能にされている。引き出し２０は、手前側のコインケース収容エリア２０ａと、奥部側にあって紙幣や商品券等（以下、紙幣と総称する）を収容するマネー収容エリア２０ｂに区画されている。コインケース収容エリア２０ａにはコインケース３０がセットされる。コインケース３０は、ここでは、横方向（左右方向）に並ぶ３個のポケット３０ａを一体化した２組のケース（分割ケース）３０Ａ、３０Ｂから成るが、各ポケットが独立したケースから成るものや、すべてのポケットが１つのケースとして一体化されているものでも良い。また、コインケースが複数のケースから成る場合、各ケースのポケットの数がすべて同じでなくとも良い。前述したように、本実施形態におけるポケット３０ａも、収容されている硬貨を取り出し易くするために、手前側に傾斜部３１（図２参照）を持つように形成されている。
【００２３】
マネー収容エリア２０ｂは、ここでは、前後方向（奥行方向）に延びる複数の仕切り板２５により千円、二千円、五千円、一万円等の複数の紙幣収容エリア２５ａに分けられている。場合によっては、各紙幣収容エリア２５ａには紙幣押さえ（図示省略）が設けられる。紙幣押さえは、引き出し２０をほぼ引き出した状態で上下方向に回動可能となるように奥部側において軸支され、通常、ばね等により閉じる方向に付勢される。
【００２４】
図２をも参照して、ケース３０Ａについて説明すると、ケース３０Ａは、前部上端及び左右両側の上端にフランジ３３を有している。以下では、前部上端のフランジを前部フランジ、左右両側の上端のフランジを側部フランジと呼ぶことがある。一方、コインケース収容エリア２０ａを形成している前壁２２と、左右両側の側壁２４の上端にはそれぞれフランジ３３を載せることができるようにされている。コインケース収容エリア２０ａとマネー収容エリア２０ｂは区画壁２３で区画されている。
【００２５】
以上の説明で理解できるように、本実施形態ではコインケース収容エリア２０ａは、前壁２２と、左右両側の側壁２４と、区画壁２３とで形成されている。
【００２６】
本実施形態では特に、上記のような構成によるドロアに、引き出し２０の本体ケース１０内での閉じ込みを防止する閉じ込み防止手段を備えたことを特徴とする。簡単に言えば、本発明による閉じ込み防止手段は、コインケース３０が引き出し２０のコインケース収容エリア２０ａに誤った向きで配置された時に引き出し２０の本体ケース１０への収納を阻止するものである。
【００２７】
以下に閉じ込み防止手段の具体的構成について説明する。
【００２８】
コインケース収容エリア２０ａに、２組のケース３０Ａと３０Ｂとの間に介在するように支持板２６を立設し、この支持板２６の上端にケース３０Ａ、３０Ｂの側部フランジ３３を載せることができるようにしている。しかも、ケース３０Ａ、３０Ｂにおける左右両側のフランジ３３にはそれぞれ、穴（あるいは切り欠き）３３ａを設ける一方、これに対応する側壁２４の上端及び支持板２６の上端にはそれぞれ、穴３３ａに嵌合可能な突起２４−１及び２６−１を設けている。更に、図２から明らかなように、ケース３０Ａ、３０Ｂがコインケース収容エリア２０ａに正しくセットされた場合には、ケース３０Ａ、３０Ｂの上端と、区画壁２３の上端、つまりマネー収容エリア２０ｂの上端とがほぼ面一になるようにされている。これは、コインケース収容エリア２０ａを形成している前壁２２と側壁２４及び支持板２６の高さを適宜設定することにより実現される。
【００２９】
図３は、コインケース収容エリア２０ａにケース３０Ａが正しくセットされた場合について、支持板２６の突起２６−１とケース３０Ａにおける側部フランジ３３の穴３３ａとの関係を示した斜視図である。このような関係は、ケース３０Ａにおけるもう一方の側部フランジ３３の穴３３ａと側壁２４の突起２４−１についても同様である。ケース３０Ａ、３０Ｂが共に図３の状態にセットされている場合には、前述したように、ケース３０Ａ、３０Ｂの上端と、区画壁２３の上端とがほぼ面一であるので、本体ケース１０に対する引き出し２０の出し入れには何の支障もきたさない。
【００３０】
これに対し、図４、図５に示すように、コインケース３０のうち、ケース３０Ａが誤って前後を逆向きにしてコインケース収容エリア２０ａにセットされたものとする。この場合、支持板２６の突起２６−１にケース３０Ａの側部フランジ３３が載る状態となり、ケース３０Ａは全体として上方に浮き上がった状態となる。これは、側壁２４の上端に設けられた突起２４−１と、側部フランジ３３との間も同様である。このような状態にするためには、側部フランジ３３の穴３３ａ及び支持板２６の突起２６−１の設置位置を、ケース３０Ａを前後逆向きにしてセットした場合には、穴と突起とが嵌合し合わない位置とする。言い換えれば、側部フランジ３３の穴３３ａ及び支持板２６の突起２６−１の設置位置を、ケース３０Ａの前後方向に関する中間位置から外れた位置、つまり図示のような後方寄りの位置か、反対側の前方寄りの位置とする必要がある。勿論、側部フランジ３３の穴３３ａ及び側壁２４の上端に設けられた突起２４−１についても同様である。その結果、ケース３０Ａの前側フランジ３３（図５では前後が逆になっているので奥部側に位置している）が区画壁２３の上端よりも大幅に浮き上がることとなる。このような状態では、ケース３０Ａの前側（実際には後ろ側）が支持されないので、ケース３０Ａは突起２６−１を支点としてがたつき易くなる。このような状態にあれば、使用者は、ケース３０Ａを誤ってセットしたことを容易に認識できる。仮に、この認識がされなかったとしても、ケース３０Ａの前側フランジ３３が本体ケース１０の開口１０ａからはみ出して本体ケース１０にぶつかることになるので引き出し２０を本体ケース１０内に収納することはできない。これにより、使用者は、ケース３０Ａを誤ってセットしたことを認識できる。
【００３１】
以上のように、コインケース収容エリア２０ａには、コインケース３０を収容した時の状態を安定させるために、少なくともコインケース３０の前部上端及び左右両側の上端を支持する支持部（前壁２２及び側壁２４、支持板２６）が設けられる。加えて、側壁２４、支持板２６の上端にはそれぞれ突起２４−１、２６−１が設けられ、これらに対応するコインケース３０の側部フランジ３３には穴３３ａが設けられる。
【００３２】
以下に、上記実施形態の変形例について説明する。上記実施形態では、コインケース３０の後部上端にフランジが無く、したがってコインケース３０の後部は支持されないが、コインケース３０の後部上端にフランジを設け、これを区画壁２３の上端に全長にわたるように切り欠き（段差）等を設けて支持するようにしても良い。このような場合も含めて、コインケースのフランジは、支持部に対応して前後左右の合計４箇所、前後のみの２箇所、左右のみの２箇所、もしくは前後左右の４箇所のうちいずれか３箇所に設けられれば良い。
【００３３】
コインケース３０の下側にも紙幣を収納する場合があるので、コインケース収容エリア２０ａ内のこのスペースには傾斜や突起物等を設けない方が望ましい。
【００３４】
上記実施形態のように、少なくともコインケース（複数のケースから成る場合は各ケース）の左右にフランジを有する場合には、コインケースの左右のフランジに穴あるいは凹部（切り欠きを含む）を設け、対応する支持部に突起を設ける。突起の高さは、誤ってコインケースを前後逆向きにセットした場合に、コインケースが持ち上がって本体ケースの開口の縁部に当り、引き出しを本体ケースに収容できない状態となる高さである。これらの穴あるいは凹部と突起はコインケースの左右両方に設けても良いし、いずれか一方に設けるようにしても良い。穴あるいは凹部（切り欠きを含む）と突起の形状は、上記実施形態に示した形状には限定されない。穴あるいは凹部（切り欠きを含む）と突起は、一方の側に二つ以上設けても良い。また、上記とは逆に、コインケースのフランジに突起を設け、対応する支持部に穴あるいは凹部（切り欠きを含む）を設けても良い。
【００３５】
次に、図６〜図８を参照して本発明の他の実施形態について説明する。他の実施形態は、コインケースの少なくとも前後の上端にフランジを設け、少なくとも一方のフランジに、上記の穴あるいは凹部（切り欠きを含む）と突起の関係を設けるようにしたものである。
【００３６】
図６、図７において、この実施形態が前述した実施形態と異なる点は以下の通りである。
【００３７】
コインケース３０の前部上端、左右両側の上端だけでなく後部上端にもフランジ３３を設け、この後部上端の後部フランジ３３の複数個所（ここでは４箇所）に切り欠き３３ａ（穴あるいは凹部でも良い）を設ける。一方、コインケース収容エリア２０ａにおいては、前壁２２（図２参照）、側壁２４（図１参照）だけでなくコインケース収容エリア２０ａとマネー収容エリア２０ｂとを区画している区画壁２３の上端において切り欠き３３ａに対応する領域を除いて切り欠き（段差）２３−１とし、この切り欠き２３−１にフランジ３３を載せることができるようにしている。言い換えれば、区画壁２３の上端において切り欠き２３−１以外の部分は、フランジ３３の切り欠き３３ａに嵌合可能な突起２３−２となる。
【００３８】
図７は、前述した実施形態と同様、６個のポケット３０ａから成るコインケース３０を２組のケースで構成する場合の一方のケース３０Ａを示している。
【００３９】
一方、図８は、６個のポケット３０ａから成るコインケース３０を１つのケースで構成する場合を示している。
【００４０】
このような実施形態では、コインケース３０が複数のケースから成る場合であっても、それらの間に前述の実施形態で説明したような支持板２６を設ける必要は無い。いずれにしても、切り欠き（穴あるいは凹部）と突起とによる引き出しの閉じ込み防止作用及び効果は、前述の実施形態と同じであるので説明は省略する。
【００４１】
図６、図７のいずれも、コインケース３０の前後左右の４箇所にフランジ３３を有しているが、フランジは少なくともコインケース３０の前後に有していれば良い。この場合、コインケース３０の前後のフランジ３３に穴あるいは凹部（切り欠きを含む）を設け、対応する支持部に突起を設ける。突起の高さは、誤ってコインケース３０を前後逆にセットした場合に、コインケース３０が持ち上がって引き出し２０を収納する際に本体ケース１０の一部に当り、引き出し２０を本体ケース２０に収容できない状態となる高さである。穴あるいは凹部は、後部フランジのみならず前部フランジのみあるいは前後のフランジの両方に設けても良い。穴あるいは凹部（切り欠きを含む）と突起の形状は、図６、図７の形状に限定されない。これらの穴あるいは凹部（切り欠きを含む）と突起は、前後一方の側に二つ以上設けても良い。また、図６、図７とは逆に、コインケース３０のフランジ３３に突起を設け、対応する支持部に穴あるいは凹部（切り欠きを含む）を設けても良い。
【００４２】
以上のようなキャッシュドロアに加えて、本発明によれば、上記のような各種形態のキャッシュドロアを備えたキャッシュレジスタやＰＯＳ装置が提供される。
【産業上の利用可能性】
【００４３】
本発明は、上記のようなキャッシュドロアを搭載するＰＯＳ使用環境全般及びキャッシュレジスタ単独(非ＰＯＳ環境)への適用が可能である。
【図面の簡単な説明】
【００４４】
【図１】図１は、本発明によるキャッシュドロアの実施形態を斜視図で示し、引き出しを一部引き出した状態で示している。
【図２】図２は、図１に示したキャッシュドロア内のコイン収容エリアにコインケースが正しくセットされた場合について図１のＡ−Ａ線部分を断面図で示す。
【図３】図３は、図２の断面図で示した部分を斜視図で示す。
【図４】図４は、図１に示したキャッシュドロア内のコイン収容エリアにコインケースが誤った配置でセットされた場合について斜視図で示す。
【図５】図５は、図４に示したキャッシュドロア内のコイン収容エリアにコインケースが誤ってセットされた場合について図４のＢ−Ｂ線部分を断面図で示す。
【図６】図６は、本発明によるキャッシュドロアの他の実施形態を斜視図で示す。
【図７】図７は、図６に示されたコインケースの一例を斜視図で示す。
【図８】図８は、図６に示されたコインケースの他の例を斜視図で示す。
【図９】図９は、従来のキャッシュドロアにおける引き出しの閉じ込みについて説明するための部分断面図である。
【符号の説明】
【００４５】
１    キャッシュドロア
１０    本体ケース
２０    引き出し
２０ａ    コインケース収容エリア
２０ｂ    マネー収容エリア
２２    前壁
２３    区画壁
２４    側壁
２４−１    突起
２６    支持板
２６−１    突起
３０    コインケース
３０Ａ、３０Ｂ    ケース
３０ａ    ポケット
３１    傾斜部
３３    フランジ
３３ａ    穴
【図１】
2008146282.tif 000003
【図２】
2008146282.tif 000004
【図３】
2008146282.tif 000005
【図４】
2008146282.tif 000006
【図５】
2008146282.tif 000007
【図６】
2008146282.tif 000008
【図７】
2008146282.tif 000009
【図８】
2008146282.tif 000010
【図９】
2008146282.tif 000011